Podtech/llm-jp-corpus-v4-ja_patent huggingface dataset:
(57)【特許請求の範囲】
【請求項１】
構築体の基礎下面が横滑りできる基礎を支える杭を分割し、地中深部に杭底部固定体を設け、該杭底部固定体の頭部と上部杭とを嵌合させ、該上部杭の周囲に径が該上部杭の径よりも大きい穴壁を設け、該上部杭と該穴壁との間には地震時に破壊される石灰を設け、該上部杭の頭部にて基礎を固着、保持して成る減震杭打ち機構と該製品。
【請求項２】
前記杭底部固定体又は杭は、周囲壁に螺条の又はリング条に凹凸溝を設けて成ることを特徴とする請求項１に記載の減震杭打ち機構と該製品。
【発明の詳細な説明】
【技術分野】
【０００１】
本発明は、基礎杭に関するものである。
【背景技術】
【０００２】
現在減震機構は軟弱地盤に適してなく、必要に迫われている。
【０００３】
しかし、軟弱地盤には杭打ちしているが、碁礎と杭及び地盤と共に振動という欠点があった。
【発明の概要】
【発明が解決しようとする課題】
【０００４】
解決しようとする問題点は、地盤と基礎の動きを切り離す点である。
【課題を解決するための手段】
【０００５】
上記目的を達成するために、本発明は、改善策として、杭の撓みを用いて基礎の動きを地面より減少して成る事を特徴とする減震杭で、杭の径より穴径を大きく堀り、杭の下部をコンクリートなどにて固定し、中間部、及び上部の空間に石灰を設け、その上に基礎と杭を結合して構成している。
【０００６】
上記目的を達成するために、本発明は、改善策として、杭の撓みを大きくするために、構築体の基礎下面が横滑りできる基礎を支える杭を分割し、地中深部に杭底部固定体を設け、該杭底部固定体の頭部と上部杭とを嵌合させ、該上部杭の周囲に径が該上部杭の径よりも大きい穴壁を設け、該上部杭と該穴壁との間には地震時に破壊される石灰を設け、該上部杭の頭部にて基礎を固着、保持して成る減震杭打ち機構と該製品。
【０００７】
又、上記目的を達成するために、本発明は、改善策として、杭の撓みを大きくするために、基礎を支える杭の周囲壁に螺条の又はリング条に凹凸溝を設けて成る減震杭打ち機構と該製品。
【発明の効果】
【０００８】
地震による地盤が動いたとき杭の下部は地面と共震し、上部は基礎、構築物の慣性力により杭は曲がり、弱結合材を破壊し杭の動きに抵抗し震動を抑える。即ち減震作用を行う。
【０００９】
本発明のくい打ち機構は、上部は弱結合材とを破壊し杭の動きに抵抗し震動を抑える利点がある。空間に石灰などの弱結合材とクション材として、ゴムを及び小粒子材として砂利、砂を充填し、その上に基礎と杭を結合して構成している。
ゴムは、微振動を吸収し砂利、砂は、滑り抵抗にて、振動を減少する効果がある。
【００１０】
特に上部に充填する機能材は、単体及び複合して成型してもよく、特にゴムなどは可能である。
【図面の簡単な説明】
【００１１】
【図１】機構を示す正面図
【図２】杭の動作を示す作用図
【図３】上部穴及び杭の動作を示す作用図
【図４】機構を示す作用図
【発明を実施するための形態】
【００１２】
以下、本発明の実施の形態を図に基づいて説明する。
【実施例１】
【００１３】
図１は、本発明の実施例１の断面図であって、杭１を地中に打ち込み、地面に固着させ、杭の中間部、及び上部に穴壁２を設ける。杭１の頭頂部に基礎４と係合している。
【実施例２】
【００１４】
図３は、本発明の実施例３の断面図であって、杭１を地中に打ち込み、地面に固着させ、杭１と嵌合し杭１の周囲に穴壁２を設ける。杭１の頭頂部は基礎４と係合している。
【実施例３】
【００１５】
図４は、本発明の実施例４の側面図であって、杭底部固定体３の表面に、杭の撓みを大きくするために、杭の周囲壁に螺条５の又はリング条６に凹凸溝を設けて成る杭機構を地中に打ち込み、地面に固着させ、杭の中間部、及び上部に穴壁２を設ける。杭１の頭頂部は基礎４と係合している。
【符号の説明】
【００１６】
１    杭
２    穴壁
３    杭底部固定体
４    基礎
５    螺旋凹凸溝
６    リング条溝
【図１】
0005957642.tif 000002
【図２】
0005957642.tif 000003
【図３】
0005957642.tif 000004
【図４】
0005957642.tif 000005
(57)【特許請求の範囲】
【請求項１】
円柱もしくは多角柱の長棒形状のシャフト部と、
シャフト部の先端側にて、先端にかけてしだいに減厚する刃部と、
その刃部の途中にて、シャフト部表面の接線を超えない程度に隆起したストッパーと、
シャフト部の手元側にて、幅がシャフト部より大きいハンドルとを具備する
ことを特徴とする内視鏡用骨ノミ。
【請求項２】
前記ストッパーは、先端より1-5mmの所から隆起していることを特徴とする請求項１に記載の内視鏡用骨ノミ。
【請求項３】
前記の刃部の先端は平ノミの形状であることを特徴とする請求項１または請求項２に記載の内視鏡用骨ノミ。
【発明の詳細な説明】
【技術分野】
【０００１】  本発明は、経皮的内視鏡下手術において、骨切除を行うときに用いられる骨切り刃（骨ノミ）に関するものである。
【背景技術】
【０００２】  頸部の軸断面図を図１で示す。椎弓１の深部に頸部脊柱管２があり、そこに脊髄３が走行している。椎間関節４の深部に椎間孔５があり、そこに神経根６が通っている。図１の右側は正常であるが、左側は椎間孔狭窄がある。頸椎症性神経根症は、その椎間孔狭窄により神経根が圧迫され神経症状を引き起こす疾患である。【０００３】  頸椎症性神経根症に対する手術治療として一般的である後方除圧術（椎間孔拡大術）とは、図１の格子線面７のような椎弓１や椎間関節４の一部を切除して、椎間孔を拡げる治療方法である。【０００４】  その後方除圧術のなかで、微小侵襲手術として、経皮的内視鏡を用いて椎間孔拡大術を行うのが経皮的内視鏡下椎間孔拡大術（ｐｅｒｃｕｔａｎｅｏｕｓ  ｅｎｄｏｓｃｏｐｉｃ  ｃｅｒｖｉｃａｌ  ｆｏｒａｍｉｎｏｐｌａｓｔｙ；ＰＥＣＦ）である。経皮的内視鏡下手術は、内視鏡手術のひとつで、直径７〜８ｍｍで長さが１７０ｍｍ程の細長い円筒形の外筒の中に、２５０ｍｍ程の長い硬性鏡の鏡筒と潅流管と光源が一体となったものを挿入し、残りの直径３〜４ｍｍの空間に細長い器具を挿入して手術を行うものである。非常に狭い空間に内視鏡を入れるが、潅流水を流すことで視野を良好に確保できる。ＰＥＣＦは非常に侵襲が少ない方法であるが、細い器具しか挿入できないため、様々な制約がある。
【発明の開示】
【発明が解決しようとする課題】
【０００５】  ＰＥＣＦは、外筒が細径であるため、使用できる器具のサイズに制約があり、骨削除器具の強度とパワーは十分ではない。図２のように椎間関節の深部骨皮質８と神経根６の間の距離はわずかで、そこには、薄膜（図示していない）があるのみであるため、サージカルバー９で骨削除を行っていくと、骨削除の最終段階でバーが深部皮質骨８を貫く際は神経を傷害する危険がある。椎間関節の深部骨皮質８は硬いのに対し、サージカルバーのパワーが不足しているため、骨に対してサージカルバーを強く押し当てたり、バーの直径を小さくしたりする必要があるが、その場合、骨を貫いた瞬間に深部へ大きくサージカルバーを押し込んでしまうことになりやすいため、より危険である。経皮的内視鏡でも使用できる細長い骨ノミ１０は既に存在するが、この器具も同様に骨を貫いてしまった場合、その奥の神経根を傷害する危険がある。【０００６】  経皮的内視鏡より太い外筒を使う内視鏡下手術ではケリソンロンジュールや、鋭匙を使用できるが、経皮的内視鏡では細径ゆえ骨を十分切除できるような強度と大きさを持った経皮的内視鏡用ケリソンロンジュールや鋭匙はない。【０００７】  そこで、本発明の骨ノミは、ＰＥＣＦの際に経皮的内視鏡に使用可能な骨ノミにおいて安全で迅速に骨切りができることを目的とする。
【課題を解決するための手段】
【０００８】  細長い円柱のシャフト部の先端が平ノミとなっており、その刃部の途中の一部に隆起したストッパーを具備し、そのストッパーの高さはシャフト部表面の接線を超えない突起であり、また手元側にはハンドルを具備する経皮的内視鏡用の骨ノミである。
【発明の効果】
【０００９】  刃部とは、先端にかけてしだいに減厚する部分のことであり、通常では刃部に隆起物は存在しないが、当発明では、シャフト部ではなく刃部にストッパーを設けていることにより、シャフト部でぎりぎり挿通可能な細長い外筒にも挿入することが可能となる。【００１０】  シャフト部でなく刃部に突起を設けていることにより、先端からわずかのところにストッパーを配置することができる。ストッパーから刃先端までがわずかであるため、ノミが深く貫くことを防止して、深部の神経を傷害することを防止し、手術を安全に行うことができる。手元側にハンドルがあり骨ノミを捻ることを容易にしており、実際の使用の際は、骨を貫くまで骨ノミを叩くのではなく、骨ノミの刃が骨に陥入したらハンドルにて捻りを加えることにより骨を割るようにするとより安全となる。
【発明を実施するための最良の形態】
【００１１】  本発明の実施形態を図３〜５を用いて説明する。図３は全体正面図、図４ａは先端側正面図、図４ｂは先端側側面図、図５は手元側側面図である。主要構造はシャフト部１１と、その先端に刃部１２と、ストッパー１３があり、手元側にハンドル１４とで構成されている。【００１２】  細長い円柱のシャフト部１１の先端側に刃部１２があり、先端は平ノミ形状となっている。その刃部１２の途中、つまり厚さがほぼ連続的に減少している部分において隆起したストッパー１３があり、そのストッパー１３の高さはシャフト部１１の表面の接線Ｗを超えない突起である。手元側にはシャフト部より幅が大きいハンドル１４がある。
【図面の簡単な説明】
【００１３】
【図１】頸椎の軸断面図である。
【図２】骨削除時の側断面図である。
【図３】本発明の実施形態の全体正面図である。
【図４】（ａ）本発明の実施形態の先端側正面図、（ｂ）先端側側面図である。
【図５】本発明の実施形態の手元側側面図である。
【符号の説明】
【００１４】１１      シャフト部
１２      刃部
１３      ストッパー
１４      ハンドル
【図１】
0005957166.tif 000002
【図２】
0005957166.tif 000003
【図３】
0005957166.tif 000004
【図４】
0005957166.tif 000005
【図５】
0005957166.tif 000006
(57)【特許請求の範囲】
【請求項１】
ベース部と、当該ベース部に支持されたりん部を有し、
ベース部はりん部に打鈴することなく加振する加振部を有し、
加振部はりん部の有する固有振動数に合致するように加振制御されていることを特徴とするベル。
【請求項２】
前記ベース部はベース部の揺動を感知するための揺動感知部を有し、
ベース部が揺動すると加振部が作動するように自動制御されていることを特徴とする請求項１記載のベル。
【請求項３】
前記加振部は外部のリモートコントローラにて作動可能であることを特徴とする請求項１又は２記載のベル。
【発明の詳細な説明】
【技術分野】
【０００１】
本発明は、呼び鈴，警報ベル及びドアベル等、広い分野にて利用できるベルに関する。
【背景技術】
【０００２】
従来のベルは、りん部をりん棒等で打鈴することで鳴るもの、吊り下げた打鈴球が揺れりん部に当たることで鳴るものであった。
また、弾性体で支持された打鈴部の揺動や電気磁石等にて打鈴部を揺動させることで鳴るベルも公知である。
例えば、特開２００３−３２７６７号公報（特許文献１）には、無線による呼び鈴を開示するが、これも負荷コイルを用いたものである。
【先行技術文献】
【特許文献】
【０００３】
【特許文献１】特開２００３−３２７６７号公報
【発明の概要】
【発明が解決しようとする課題】
【０００４】
本発明は、打鈴球や打鈴棒等の打鈴部材の不要なベルの提供を目的とする。
【課題を解決するための手段】
【０００５】
本発明に係るベルは、ベース部と、当該ベース部に支持されたりん部を有し、ベース部はりん部に打鈴することなく加振する加振部を有し、加振部はりん部の有する固有振動数に合致するように加振制御されていることを特徴とする。
これにより、従来の打鈴では発生しやすかったりん部の固有振動数以外の音が、本発明に係るベルではそれが少ない鳴り音となる。
【０００６】
ここで、りん部の有する固有振動数は、例えば図２のグラフに示すように加振周波数に対するその時の音圧レベルを測定することで、容易に得られる。
なお、図２に示した３つの音圧ピークは、左側から順に１次(2.36kHz)，２次(6.35kHz)，３次(11.48kHz)の固有振動数が現れている。
【０００７】
本発明で、ベース部はベース部の揺動を感知するための揺動感知部を有し、
ベース部が揺動すると加振部が作動するように自動制御されていてもよい。
このようにすると、ベース部を軽く左右に揺動するだけでベルが鳴る。
【０００８】
本発明で、加振部は外部のリモートコントローラにて作動可能にしてもよい。
【０００９】
また、ベース部はりん部の振動レベルを検知するためのピックアップ部を有し、これにより加振部がフィードバック制御されていてもよい。
【発明の効果】
【００１０】
本発明に係るベルは、加振部がりん部の有する固有振動数に合せて加振し、又は広帯域入力の一部をフィルタリングすることで、特定の固有振動数による振動音が優位に発生し、固有振動数以外の振動音が少ない音色になる。
【図面の簡単な説明】
【００１１】
【図１】本発明に係るベルの構造例を示し、（ａ）はりん部の内側に支持部を有する例で、（ｂ）はりん部の外側に支持部を有する例である。
【図２】固有振動数の測定チャートの例を示す。
【発明を実施するための形態】
【００１２】
本発明に係るベル１０の構造例を図面に基づいて説明するが、本実施例に限定されるものではない。
ベル１０は、ベース部１１とこのベース部１１に支持部１３を介して支持されたりん部１２とからなる。
図１（ａ）は、釣鐘形状のりん部の内側に支持部１３を設けた例で、（ｂ）はりん部１２の外側に支持部１３を設けた例を示すが、りん部が共鳴部として鳴るものであれば支持形態に制限がない。
また、りん部の形状も釣鐘形状に限定されるものではない。
りん部の材質は黄銅，鉄，ＳＵＳ等の金属製が好ましい。
【００１３】
ベース部１１は、図１（ａ）に示すように加振部１４を有し、この加振部１４の位置はりん部１２の内側でも外側でもよい。
ベース部１１の内部に加振部１４の電源部や制御部を設けてある。
ベース部１１は、いろいろな場所に載置できる形状になっていて、ベース部１１を左右に軽く揺動させると、その揺れを揺動感知部が感知し、加振部１４が作動するようになっている。
なお、加振部１４を外部のリモートコントローラでＯＮ／ＯＦＦさせてもよい。
また、図１（ｂ）に示すベルは、ベース部１１にりん部の振動レベルを検知するピックアップ部１５を設けることで、加振部のフィードバック自動調整可能にした例である。
【００１４】
加振部１４は、図２のチャートに示したように測定結果にて得られた音圧ピークに合せて、例えば２．３６ｋＨｚ（１次の固有振動数）の近く（±５％）に合せて設計すればよいので、コンパクトで簡単な回路設計でよい。
【符号の説明】
【００１５】
１０      ベル
１１      ベース部
１２      りん部
１３      支持部
１４      加振部
１５      ピックアップ部
【図１】
0005920824.tif 000002
【図２】
0005920824.tif 000003
(57)【特許請求の範囲】
【請求項１】
足で踏み込む、アクセルペダルとブレーキペダルとを備えた車両のアクセルペダル操作において、右膝を含む下腿部の右側で、横押しする箇所の回転ローラーがついているレバーを、右側に動作することにより横軸レバー支点を支点として、横軸レバーの金具に接続された自在連結棒を上下動作に変換を行い、アクセルペダルの上に設けた受け金具と接続された自在連結棒が、アクセルペダルを直接押し込む操作ができる機構を備えた、アクセルペダル操作装置。
【請求項２】
足で踏み込む、アクセルペダルとブレーキペダルとを備えた車両のアクセルペダル操作において、右膝を含む下腿部の右側で右側へ横押しするレバーの箇所に、弾性回転ローラーを設けたことを特徴とする請求項１記載の、アクセルペダル操作装置。
【発明の詳細な説明】
【技術分野】
【０００１】  本発明は、車両の安全運転を考慮したアクセルペダル操作に関する。
【背景技術】
【０００２】  従来の車両には、走行時に操作するアクセルペダルやブレーキペダルは、アクセル専用に設けられるアクセルペダルと、ブレーキ専用に設けられるブレーキペダルとが別々設けられており、これらのペダル操作は、車両の運転者が足底で踏み込むことにより操作する。しかし、アクセル操作からブレーキ操作に移行する際、アクセルペダルからブレーキペダルへ移行する際に、操作するペダルを踏み変える必要がある。例えばアクセルペダルを操作している場合において、急に車両を制動停止させる必要がある場合、ペダルを踏み変えるのに時間がかかるため、早急なペダル操作の変更は困難なものとなっていた。
【発明の概要】
【発明が解決しようとする課題】
【０００３】  以上に述べた従来の車両は、アクセルペダルからブレーキペダルへ踏み変えるのに時間がかかっていた。制動停止に時間かかりよって制動距離も長くなる。また、ブレーキペダルとアクセルペダルの踏み間違いによる暴走もあり緊急時の事故が発生しやすいものであった。【０００４】  本発明は、このような従来の構成が有していた問題を解決しようとするものであり、安全性の高いアクセルペダル操作装置の実現を目的とするものである。
【課題を解決するための手段】
【０００５】  本発明は、ブレーキペダル上へ足底を載せたまま、アクセルペダル操作ができるアクセルペダル操作装置を構成したものである。【０００６】  本発明は、右膝を含む下腿部の右側で横押しする箇所に、弾性回転ローラーがついているレバーを右側へ横押しすることで、アクセルペダル操作ができるアクセルペダル操作装置を構成したものである。【０００７】  本発明は、ブレーキペダルの踏み込みで、アクセルペダルを強制的に戻す機構を構成示したものである。【０００８】  本発明は、従来のアクセルペダルに操作可動部材を追加するだけで、容易に実施できるのを構成としたものである。【０００９】  本発明では、実施において従来のアクセルペダル操作と  ブレーキペダル操作を損なうことなく従来の操作運転ができる構成としたものである
【発明の効果】
【０００１０】  本発明の、アクセルペダル操作装置は、ブレーキペダル上へ足底を載せた状態でのアクセルペダル操作となり、アクセル操作解除からブレーキ操作への時間短縮が図られ、急な飛び出し等での車両の制動停止時間、制動停止距離が短くなり事故が削減できる安全性の高いアクセルペダル操作装置を提供できる。【００１１】また、ブレーキペダル上へ足底を載せた状態で、アクセルペダル操作装置によるアクセルペダル操作のため、慌てた状態ではアクセルペダルとブレーキペダルの踏み間違いで起こる暴走を防げる利点がある。
【図面の簡単な説明】
【００１２】
【図１】本発明の実施形態を示すアクセルペダル操作装置の正面図と側面図
【図２】本発明の膝含む下腿部でアクセルペダル操作装置可動状態の正面図
【図３】本発明のブレーキペダル操作によるアクセルペダル強制戻し構成図
【発明を実施するための形態】
【００１３】  以下、本発明の実施の形態について図１〜図３に基づいて説明する。
図１は、本発明のアクセルペダル操作装置の正面図と側面図であり、ブレーキペダル２へ足底を載せたまま膝及び下腿部９で弾性回転ローラー４を右側へ押し付け横軸レバー支点３を起点に横軸レバー５を下降させ、自在連結棒６でアクセルペダル１に装着した受金具７でアクセルペダル１を押込むことを示している。
【００１４】  図２は、ブレーキペダル２へ足底を載せたまま膝及び下腿部９で弾性回転ローラー４を右側へ押し付け横軸レバー支点３を起点に横軸レバー５を下降させ自在連結棒６でアクセルペダル１を押込み時の状態を示している。
【００１５】  図１、図２において、車両にある従来のアクセルペダル１とブレーキペダル２を取り除くことなく、本発明のアクセルペダル操作装置の設置で運転することができること示している。
【００１６】  図３は、ブレーキペダル２の踏み込みで強制的に、アクセルペダル強制戻しレバー１４でアクセルペダル１を戻す機構を示している。
【００１７】  本発明のアクセルペダル操作装置を設置しても、図１、図２にあるアクセルペダル１は、従来通り足底で踏み込み操作が可能で運転者を限定することなく，運転することができることを示している。
【００１８】  本発明は、身体差により縦軸左右調整金具１０、自在連結棒左右調整金具１１、弾性回転ローラー上下調整金具１２が、矢印方向へ位置変更できることを示している。
【００１９】  図１の側面図で弾性回転ローラー４は、跳ね上げができ車両への乗降における障害を回避できる機能を示している。
【符号の説明】
【００２０】１アクセルペダル
２ブレーキペダル
３横軸レバー支点
４弾性回転ローラー
５横軸レバー
６自在連結棒
７受け金具
８かかと
９膝含む下腿部
１０縦軸左右調整金具
１１自在連結棒左右調整金具
１２弾性回転ローラー上下調整金具
１３横軸支点取付金具
１４アクセルペダル強制戻しレバー
【図１】
0006019472.tif 000002
【図２】
0006019472.tif 000003
【図３】
0006019472.tif 000004
(57)【特許請求の範囲】
【請求項１】
車両の座席シート位置に固定するための取付部を有するロの字型の車椅子横転防止部に、折りたたんだ状態の車椅子の駆動輪部分を、上から差し込むようにして収納固定する車椅子収納固定装置において、前記ロの字型の車椅子横転防止部に接続しているＴ字型の車椅子後転防止部で車椅子のフレームを支えて、収納固定した際の安定性を高めている、車椅子収納固定装置。
【請求項２】
介護用途に設計・改造された車両に、車椅子を折りたたんだ状態で収納するように構成された、請求項１に記載の車椅子収納固定装置。
【発明の詳細な説明】
【技術分野】
【０００１】  この発明は、介護用途に設計・改造された（トヨタ社製・ヴォクシー及びノア）車両のうち、車椅子を安全かつ容易に固定することを目的とし、その結果、車両走行中に車椅子が揺さぶられる事なく車室内の安全性を高めるために発明された車椅子固定装置である。
【背景技術】
【０００２】  従来、介護用途に設計・改造された（トヨタ社製・ヴォクシー及びノア）車両（以下「当該車両」とする）の車室内に車椅子を固定する装置は存在しておらず、車椅子を積むならば車室内後部の荷室に積むのが最も考えられる方法であった。
【先行技術文献】
【０００３】
【特許文献１】
【発明の概要】
【発明が解決しようとする課題】
【０００４】  技術背景に基づき、以下のような欠点があった。
車椅子を固定する装置が設計されていない当該車両においては、積むスペースがあったとしても、車両走行中に揺さぶられることを防止するベルト等が無く、結果的に車両に乗車する人に衝突するなどの危険性が懸念された。身体の不自由な方にとって車椅子とは生活する上で必需的な物であり、車で移動する際には積まなくてはならない物である。
本発明は車椅子を安全に固定すること、かつ、数ある移動手段の中でも車は使用する頻度が高いものであることに鑑み、できる限り容易に固定できることを考慮するためになされたものである。
【課題を解決するための手段】
【０００５】介護用途に設計・改造された車両に、車イスが確実に固定できるように、ロの字型の車椅子横転防止部に、折りたたんだ状態の車椅子の駆動輪部分を、上から差し込むようにして収納固定する車椅子収納固定装置において、前記ロの字型の車椅子横転防止部に接続しているＴ字型の車椅子後転防止部で車椅子のフレームを支えて、その安定性を高める。
【発明の効果】
【０００６】本発明は、車椅子を安全かつ容易に固定することを目的としたもので、その結果として当該車両に車椅子を載せる際に、車両のシートの位置との間隔を確保することができ、車室内により多くの荷物を載せることが可能となった。
また車椅子をしっかり固定することから安全性が確保され、かつ、車両内のスペースを確保することにより、車両に乗る者が感じる圧迫感の低下、及び安心感を得ることができた。
日常的に使用することを想定しながら発明したという経緯から、「安全かつ気軽に収納できる」という目的が達成された。
【図面の簡単な説明】
【０００７】
【図１】本発明に車椅子を固定した状態を上部から見た図面である。
【図２】本発明に車椅子を固定した状態を横から見た図面である。
【図３】本発明に車椅子を固定した状態を正面から見た図面である。
【図４】本発明の傾斜図面である。
【発明を実施するための形態】
【０００８】  以下、本発明を実施するための形態について説明する。
・当該車両の最後部の右側のシート固定ボルト位置に、本発明品の取付け部Ａ（１）及びＢ（２）を取り付ける。なお取り付けの際には、シート固定ボルトを使用する。
・当該車両の最後部の右側シートの床面にあるフック取付けボルト位置に、本発明品の取付け部Ｃ（３）を取り付ける。なお取り付けの際には、フック取付けボルトを使用する。
・これを使用する際には、車椅子後転防止部（固定部Ａ）（４）側に車椅子の先端が支えられるように向きを合わせ、車椅子横転防止部（固定部Ｂ）（５）に車椅子のタイヤを上から置くようにして固定する。
・固定装置補強部（６）は、上下の衝撃に車椅子の固定を支えられるように設けたものである。
【符号の説明】
【０００９】（１）本発明品の取付け部Ａ
（２）本発明品の取付け部Ｂ
（３）本発明品の取付け部Ｃ
（４）車椅子後転防止部（固定部Ａ）
（５）車椅子横転防止部（固定部Ｂ）
（６）本発明品の固定装置補強部
【図１】
0006019473.tif 000002
【図２】
0006019473.tif 000003
【図３】
0006019473.tif 000004
【図４】
0006019473.tif 000005
(57)【特許請求の範囲】
【請求項１】
上部に開口部のあるバッグ本体とこのバッグ本体の左右側面それぞれの上部２ケ所に両端を取り付けられた主ショルダーベルト２本と、さらに前記のバッグ本体の左右どちらかの側面の上部中央と下部中央に、両端を取り外し可能な状態で接続具により接続された補助ショルダーベルト一本をもつ肩掛けバッグ。
【発明の詳細な説明】
【技術分野】
【０００１】本発明はショルダーバッグをどちらかの肩にかけたまま、バッグの開口部と底部につけたバンド状のものを反対側の肩にかけることにより一瞬でリュックになるバッグに関するものである。
【背景技術】
【０００２】従来リュックとショルダーバッグはそれぞれの目的に応じて使い分ける別々のバッグである。２ウエイ３ウエイバッグという、一つのバッグに両方の機能をもたせたものもあるが、それらはその都度バンドを付け替えたり肩から一回おろしてかけ直したりと、使い分けが面倒である。
【発明の開示】
【発明が解決しようとする課題】
【０００３】リュックには重い荷物を両肩に分けかけることで体の負担を軽くしまた両手をあけることが出来るという長所があり、ショルダーバッグには荷物の出し入れがしやすいという長所がある。本発明は一つのバッグに両方の長所をもたせ、より便利なバッグにすることにある。
【課題を解決するための手段】
【０００４】ショルダーバッグの両サイド開口部にもともとついている肩にかけるバンドとは別に、片側の上部（開口部）と下部（底部）に取り外し可能なバンド状のものを取り付けたものが本発明のバッグである。
【発明の効果】
【０００５】本発明で取り付けたバンドを、バッグをかけていない側の肩にかけたりはずしたりするだけで、必要に応じてリュック・ショルダーバッグとして瞬時に使い分けることが出来る。
【発明を実施するための最良の形態】
【０００６】以下、本発明の実施の形態を図面に基づき詳細に説明する。【０００７】図１は本発明の外観をバンドを取り付けた状態で体に密着させる側から見た斜視図である。図２は本発明の外観を取り外し可能なバンドを外した状態の図である。リュックとして使う必要がない時にはこの状態で使用する。図３は本発明で取り付けたバンドを使いリュックとして使用しているところを後ろから見た図である。ショルダーバッグをかけていない側の手で、本発明でつけたバンドをひっぱり肩にかけることにより瞬時にリュックになる。この図は右肩にショルダーバッグをかける場合で、左肩にショルダーバッグをかける場合は左右が逆になるだけで使い方は同じである。
【図面の簡単な説明】
【０００８】
【図１】本発明の外観の斜視図である。
【図２】本発明のバンドを取り外した状態の図である。
【図３】本発明をリュックとして使用しているところを後ろから見た図である。
【符号の説明】
【０００９】（１）ショルダーバッグの肩掛け紐、（２）リュック用のバンド（３）金具Ｄカン山高、（４）金具網ナスカン、（５）金具移動カン
【図１】
0006019532.tif 000002
【図２】
0006019532.tif 000003
【図３】
0006019532.tif 000004
(57)【特許請求の範囲】
【請求項１】
一定長さの透明の円筒をプラスチックで形成し、片側の開口部は塞ぎ板で塞ぎ、一方の開口部は、正面が角形の蓋を被せ、蓋と塞ぎ板の中心にはダニが通る程度の小孔を開けると共に蓋と塞ぎ板の表面は、ダニが這い上りやすいように刻み加工をしたことを特徴とするダニ取り器。
【請求項２】
円筒と蓋をねじ込み方式にするか、円筒と蓋をテーパ状に形成して、蓋を被せるようにしたことを特徴とする請求項１記載のダニ取り器。
【請求項３】
円筒を角筒に代え、該角筒の蓋を凹み状に形成すると共に凹みの底にダニが通る程度の小孔を開け、凹みの表面はダニが這い上りやすいように刻み加工をしたことを特徴とする請求項１記載のダニ取り器。
【請求項４】
円筒を楕円筒に代え、該楕円筒の蓋を凹み状に形成すると共に凹みの底にダニが通る程度の小孔を開け、凹みの表面はダニが這い上りやすいように刻み加工をしたことを特徴とする請求項１記載のダニ取り器。
【請求項５】
前記、円筒、角筒、楕円筒を透明のプラスチックに代えて、透明の柔軟性ビニルで形成したことを特徴とする請求項１、３、４のいずれか記載のダニ取り器。
【発明の詳細な説明】
【技術分野】
【０００１】  本発明は、簡単な構造であるが、ダニを確実に捕獲できるようにした、家計にやさしいダニ取り器に関するものである。
【背景技術】
【０００２】  従来、ダニ取り器は各種あるが、どれも高価であるため、使用し難くかった。
【発明の概要】
【発明が解決しようとする課題】
【０００３】  ダニを確実に捕獲するダニ取り器を、家計にやさしい価格で提供することを目的とする。
【課題を解決するための手段】
【０００４】  第１実施例の図１から図３の内、図１と図２は、一定長さの円筒を透明のプラスチックか柔軟性のビニールで形成し、片側の開口部は塞き板で塞ぎ、一方の開口部は正面が角形の蓋を被せ、蓋と塞ぎ板の中心にはダニが通る程度の小孔を開けると共に表面はダニが這い上りやすいように刻み加工をしたものである。
図３は、蓋と円筒をねじ込み方式にしたものである。なお、ねじこみ方式の代りに、テーパ式にしてもよい。
第２実施例の図４と図５は、円筒の代りに角筒を形成し、該蓋は凹み状に形成すると共に凹みの底にダニが通る程度の小孔を開け、凹みの表面は、ダニが這い上りやすいように、刻み加工したものである。
なお、凹みは、図１と図３に実施してもよい。
第３実施例の図６と図７は、円筒の代りに楕円筒を形成し、該蓋は凹み状に形成すると共に凹みの底にダニが通る程度の小孔を開け、凹みの表面は、ダニが這い上りやすいように刻み加工したものである。
【発明の効果】
【０００５】  以上のように構成したので、ダニを捕獲する時は、円筒または角筒、楕円筒内に、ダニが好む餌を入れ、蓋を被せて適所に配置すれば、両側のダニ入口から出る匂いに誘われたダニは、両側のダニ入口から、刻みを伝って、中に入り、餌に群がる。
このとき、両側のダニ入口は、空気が流入すると共に匂いを発散するので、連続的に、多量のダニを誘引する。
したがって、大量のダニを捕獲でき、捕獲後は、蓋を外して中身を捨て、餌を入れ替えれば、何回も使用できるが、本発明は安価であるので、使い捨てにしてもよい。
また、実施例２の図４と図５、第３実施例の図６と図７の蓋は、凹み状に形成し、且、凹みに刻み加工したので、ダニは這い上りやすく、捕獲率を高くすることができる。
なお、本発明の使用方法はきわめて簡単で、家計にやさしい、安価で提供できるので、家庭において積極的に使用可能である等の諸効果を有するものである。
【図面の簡単な説明】
【０００６】第１実施例
【図１】  図２の線Ａ−Ａの縦断正面図
【図２】  図１と図３の右側面図
【図３】  蓋をねじ込み式にした場合の縦断正面図第２実施例【図４】  図５の線Ｂ−Ｂの縦断正面図
【図５】  図４の右側面図第３実施例【図６】  図７の線Ｃ−Ｃの縦断正面図
【図７】  図６の右側面図
【発明を実施するための形態】
【０００７】  実施例１の図１から図３の内、図１と図２の１は、一定長さの円筒で、透明のプラスチックか柔軟性のビニールで形成し、片側の開口部を塞ぎ板２で塞いでいる。３は円筒１の一方の開口部に被せる蓋で、正面は角形状に形成している。４は蓋３と塞ぎ板２の中心に開けたダニが通る程度の小孔で、蓋３と塞ぎ板２の表面は、ダニが這い上りやすいように、刻み加工５をしている。
図３は、蓋３をねじ込み方式にしている。
実施例２の図４と図５の７は角筒で、蓋３は凹み８状に形成し、該凹み８に、刻み加工５し、ダニが這い上りやすいようにしている。
実施例３の図６と図７の９は楕円筒で、蓋３は凹み８状に形成し、該凹み８には刻み加工５をしている。なお、凹み８は両側に実施してもよい。
【０００８】  以上のように、ダニ取り器は角形の蓋、角筒、楕円筒に形成したので、適所に配置した時、転がらないので、定位置に安定して置くことができる。
【符号の説明】
【０００９】  １  円筒      ４  小孔        ７  角筒
２  塞ぎ板    ５  刻み加工    ８  凹み
３  蓋        ６  ネジ        ９  楕円筒
【要約】
【課題】  使用方法が極簡単で、家計にやさしい格安のダニ取り器を提供することを目的とする。
【解決手段】  一定長さの円筒（または、角筒か楕円筒）の片側に塞ぎ板を取り付け、一方には蓋を被せ、塞ぎ板と蓋の中心にダニが通る小孔を開けて構成した。
これにより、円筒（または、角筒か楕円筒）内にダニが好む餌を入れて蓋を被せ、適所に配置すれば、匂いに誘われたダニは、小孔から円筒（または、角筒か楕円筒）内に入り、餌に群がる。また、両側の小孔は、空気を流入すると共に匂いを発散するので、連続的に多量のダニを誘引する。
したがって、大量のダニを捕獲することができ、捕獲後は、蓋を外して中身を捨て、餌を入れ替えれば、何回も使用できるが、本発明は安価であるので、使い捨てにしてもよい。
【選択図】図６【図１】
0006030789.tif 000002
【図２】
0006030789.tif 000003
【図３】
0006030789.tif 000004
【図４】
0006030789.tif 000005
【図５】
0006030789.tif 000006
【図６】
0006030789.tif 000007
【図７】
0006030789.tif 000008
(57)【特許請求の範囲】
【請求項１】
高速鉄道車両の先頭車と後尾車（反対方向に走行する時は先頭車になる）の先端まで、客車と同じ巾に形成すると共に、該先端から後方に向け緩傾斜の昇り坂を形成し、該昇り坂の最上部に運転室を設置し、昇り坂の両側には客車と同じ高さの向い風後送体を取り付け、該向い風後送体には透明の強化ガラスを取り付け、また、運転室を前記昇り坂の最上部よりやや下方に設置して客車の客席を１列増し、向い風後送体は先端方向に向けて下方に傾斜したことを特徴とする高速鉄道車両走行時の騒音と横風圧防止装置。
【発明の詳細な説明】
【技術分野】
【０００１】  本発明は、高速鉄道車両走行時の騒音と、横風圧防止装置に関する。
【背景技術】
【０００２】  従来、高速鉄道車両が走行すると強大な騒音と横風圧が発生する。そのため、沿線に沿って防音壁を設置しているが、走行する度に、横風圧の繰り返し荷重を受けて劣化、損傷する。
このため、高速鉄道車両は、利便性の反面、防音壁の点検、補修に多額の費用がかかっている。
【発明の概要】
【発明が解決しようとする課題】
【０００３】  本発明は、走行時に発生する騒音と横風圧を減じて、沿線の住民に迷惑をかけないようにすると共に防音壁の劣化、損傷を防止するようにしたものである。
【課題を解決するための手段】
【０００４】  実施例１の図１から図３は、高速鉄道車両の先頭車と後尾車（反対方向に走行する時は先頭車になる）の先端まで、客車と同じ巾に形成すると共に、該先端から後方に向け緩傾斜の昇り坂を形成し、該昇り坂の最上部に運転室を設置し、昇り坂の両側には客車と同じ高さの向い風後送体を取り付け、該向い風後送体には透明の強化ガラスを取り付けたものである。【０００５】実施例２の図４は、運転室を、図１に示す運転室よりやや下方に設置して客車の座席を１列増し、向い風後送体は先端方向に傾斜したものである。
【発明の効果】
【０００６】  本発明は、以上のように、先頭車の両側に向い風後送体を立説し、先頭車が受ける向い風を後方に流すので、騒音や横風圧は著しく、減少する。
したがって、防音壁は劣化、損傷しないので、点検、整備費を著しく減ずることができる。
この時、向い風後送体には、透明の強化ガラスを嵌め込んだので、運転士は前方に加えて左右の見通しもよく、前方１８０°の広角度の視界が得られるので、何ら問題なく安全運転することができる。
また、走行時、向い風が後方に流れる時、昇り坂を上から押し付けるので、車輪とレールの粘着性能は高まる。したがって、駆動性とブレーキ性能が向上すると共に電力の消費量を低減することができる。
なお、本発明は、現在運行している高速鉄道車両にも実施可能であり、リニア超高速鉄道車両に実施すれば、更に、有効に作用する等の諸効果を有するものてある。
【図面の簡単な説明】
【０００７】実施例１
【図１】  本発明の正面図
【図２】  図１の平面図
【図３】  図１の左側面図実施例２【図４】  正面図
【発明を実施するための形態】
【０００８】  実施例１の図１から図３の１は先頭車で、該先端まで、客車３と同じ巾に形成し、該先端から後方に向け、緩傾斜の昇り坂４を形成している。
５は運転室で昇り坂４の最上部に設置し、昇り坂４の両側には客車３と同じ高さの向い風後送体６を取り付け、該向い風後送体６には透明の強化ガラス７を取り付けている。
【０００９】  実施例２の図４は、運転室５を、図１の運転室よりやや下方に設置し、客車３の座席を１列増している。また、向い風後送体６は先端方向に傾斜させている。
【符号の説明】
【００１０】１    先頭車
２    自動連結器カバー
３    客車
４    昇り坂
５    運転室
６    向い風後送体
７    透明の強化ガラス
【要約】      （修正有）【課題】従来、高速鉄道車両が走行すると強大な騒音と横風圧が発生する。そのため、沿線に沿って、防音壁を設置しているが、走行する度に風圧の繰り返し荷重を受けて劣化、損傷する。このため、高速鉄道車両は、利便性の反面、防音壁の保守、点検に多額の費用がかかっている。【解決手段】高速鉄道車両の先頭車１を後方に向け、緩傾斜の昇り坂４を形成して、該昇り坂４の両側に向い風後送体６を取り付け、向い風後送体６には透明の強化ガラス７を取り付けて構成した。これにより、高速鉄道車両が受ける向い風を後方に流すので、騒音や横風圧は著しく減少する。したがって、防音壁は、劣化、損傷しないので、点検、補修費を著しく減ずることができる。なお、本発明は現在運行している高速鉄道車両にも実施可能であり、リニア超高速鉄道車両に実施すれば、更に、有効に作用する等の諸効果を有するものである。【選択図】図１【図１】
0006030742.tif 000002
【図２】
0006030742.tif 000003
【図３】
0006030742.tif 000004
【図４】
0006030742.tif 000005
(57)【特許請求の範囲】
【請求項１】
板（１）と板（２）の両端に、長さと圧縮力の異なるバネ（３）を取替え自在に設け、バネ（３）を板（１）と板（２）の両端同士をプッシュ型ジョイントで結合し、板（１）と板（２）で腹部と背中を挟んで深呼吸と腹部の凸凹運動をする腹筋深呼吸強化機。
【発明の詳細な説明】
【技術分野】
【０００１】
本発明は、深呼吸に併せて腹部の凹凸運動でバネを伸縮させ身体を強化させる健康機具に関するものである。
【背景技術】
【０００２】
従来、電動式でベルトの振動によりウエストを細身にする事が知られている。
なお、運動後に深呼吸のみだけ行われている。
【０００３】
本発明と同類の先行技術が現在のところ発見されないので、特許番号記載なし。
【発明の概要】
【発明が解決しようとする課題】
【０００４】
中高年に入ると、運動不足により肥満体になり、高血圧症、糖尿病、心筋梗塞等の病気の発生防止。成人になると内臓および腹筋等の老化により排便、排尿等が困難である。
本発明は、以上の問題点を解決するためになされたものである。
【課題を解決するための手段】
【０００５】
板（１）と板（２）の両端に、長さと圧縮力の異なるバネ（３）を取替え自在に設け、バネ（３）を板（１）と板（２）の両端同士をプッシュ型ジョイントで連結し、板（１）と板（２）で腹部と背中を挟んで深呼吸と腹部の凸凹運動をする。
以上の構成よりなる腹筋深呼吸強化機。
【発明の効果】
【０００６】
病気の発生防止、内臓と腹筋の強化により排便、排尿等の困難を容易にする。
【図面の簡単な説明】
【０００７】
【図１】本発明の胴体を断面化した平面図。
【発明を実施するための形態】
【０００８】
以下、本発明の実施の形態を説明する。
板（１）と板（２）は長方形で、両端にリング付きボルト（６）を埋設し、ナット（７）をボルト（６）に螺着する。
バネ（３）は、コイル状の圧縮式、両端にリングを設け、取替え用として長さと圧縮力の異なるバネ（３）を数個備える。
プッシュ型ジョイント（４）は、楕円形であり、ブッシュしてバネ（３）のリングとリング付きボルト（６）のリング（５）を結合する。
本発明は以上のような構造である。
これを使用するときは、身体の厚みに合わせてバネ（３）を選択し、板（１）と板（２）の一端側にバネ（３）をプッシュ型ジョイント（４）で結合させて、反対側は結合不要にし、結合しない板（１）と板（２）の端を手で持って背後に回して腹筋深呼吸強化機を八字に広げて、腰に嵌めてから回転させて板（１）と板（２）を腹部と背中に合わせた後に、反対側の板（１）と板（２）をプッシュ型ジョイント（４）でバネ（３）を結合させて、深呼吸と腹部の凸凹運動をする。
なお、セット後に椅子か床に腰掛けて使用すると効果的であり、また、起立状態、仰向け状態でも使用可能。
【符号の説明】
【０００９】
１板、２板、３バネ、４プッシュ型ジョイント、５リング、６リング付きボルト、７ナット、８腹部、９背中、
【要約】
【課題】  中高年に入ると、運動不足により肥満体になり高血圧症、糖尿病、心筋梗塞等の病気の発生防止、内臓および腹筋等の老化により排便、排尿等の困難を容易にした腹筋深呼吸強化機を提供する。
【解決手段】  板（１）と板（２）の両端に、長さと圧縮力の異なるバネ（３）を取替え自在に設け、バネ（３）を板（１）と板（２）の両端同士をプッシュ型のジョイントで結合し、板（１）と板（２）で腹部と背中を挟んで深呼吸と腹部の凸凹運動を特徴とする。
【選択図】    図１【図１】
0005986333.tif 000002
(57)【特許請求の範囲】
【請求項１】
原料粉としてもち種馬鈴薯澱粉を４８〜８５質量％含有し、ミックス全体の蛋白含量が０〜２．０質量％であることを特徴とするベーカリー食品用ミックス。
【請求項２】
請求項１記載のベーカリー食品用ミックスを用いてベーカリー食品を製造する方法。
【発明の詳細な説明】
【技術分野】
【０００１】
本発明は、ベーカリー食品用ミックス、および該ミックスを用いて得られる新規な外観および食感を有するベーカリー食品に関する。
【背景技術】
【０００２】
近年、消費者の嗜好は多様化し、既存の概念にとらわれない新しいタイプの食品、あるいはこれまでにない食感の食品が求められる傾向にある。ベーカリー食品においても同様に新規な食感や外観を有するベーカリー食品が求められている。
従来より、ベーカリー食品に新規な食感や外観などを付与するために種々の方法が提案されている。例えば、特許文献１には、「生地を圧延することなく調製する食パンのようなベーカリー製品の製造に際して、主原料として、小麦粉に、酸化澱粉及び／又は酸化アセチル化澱粉、或いは、酸化澱粉及び／又は酸化アセチル化澱粉とα化澱粉質を配合した原料粉を用いることにより、調製されたベーカリー製品に、ソフトでしっとりとし、かつ、歯切れ感と口溶け感の良さを付与する技術」が記載されている。
【０００３】
しかし、このような従来の技術で得られるベーカリー食品は、従来あるベーカリー食品の食感や外観の改良程度にとどまっており、既存の概念にとらわれない新しいタイプのベーカリー食品といえるものではなかった。
【先行技術文献】
【特許文献】
【０００４】
【特許文献１】特開２００９−２７３４２１号公報
【発明の概要】
【発明が解決しようとする課題】
【０００５】
本発明の目的は、既存のベーカリー食品の概念から外れた従来にない外観および食感を有するベーカリー食品が得られるベーカリー食品用ミックスを提供することにある。
【課題を解決するための手段】
【０００６】
本発明者らは、種々検討した結果、原料粉として、もち種馬鈴薯から製造した澱粉を用いることにより、上記目的を達成するベーカリー食品が得られることを知見した。
【０００７】
本発明は、上記知見に基づいてなされたもので、主原料粉としてもち種馬鈴薯澱粉を含有し、ミックス全体の蛋白含量が０〜４．０質量％であることを特徴とするベーカリー食品用ミックス、および該ミックスを用いて得られるベーカリー食品を提供するものである。
【発明の効果】
【０００８】
本発明のベーカリー食品用ミックスによれば、既存のベーカリー食品の概念からは外れた従来にない外観および食感を有するベーカリー食品、特に、透明感のある外観を有するベーカリー食品が得られる。
【発明を実施するための形態】
【０００９】
本発明のベーカリー食品用ミックスは、主原料粉としてもち種馬鈴薯澱粉を含有する。このもち種馬鈴薯澱粉とは、アミロペクチンほぼ１００％の馬鈴薯を原料とした澱粉及びその加工澱粉である。このもち種馬鈴薯澱粉としては、「エリアンＶＣ１２０」（松谷化学工業製）などの市販品があり、これらの市販品を用いることができる。
【００１０】
もち種馬鈴薯澱粉の含有量は、ミックス中、好ましくは３〜８５質量％、より好ましくは１０〜８０質量％、さらに好ましくは２０〜８０質量％である。もち種馬鈴薯澱粉の含有量が少なすぎると、本発明の効果が得られず、またもち種馬鈴薯澱粉の含有量が多すぎると、好ましい食感が得られない。
【００１１】
本発明のベーカリー食品用ミックスは、ミックス全体の蛋白含量が０〜４．０質量％、好ましくは０〜２．０質量％である。蛋白含量が４．０質量％より多いと、ベーカリー食品の透明感がなくなり、また食感が硬くなりやすい。
なお、上記のもち種馬鈴薯澱粉は、蛋白をほとんど含有しておらず、蛋白含量はほぼ０質量％である。
【００１２】
本発明のベーカリー食品用ミックスには、上記のもち種馬鈴薯澱粉の他に、原料粉として、小麦粉（強力粉、準強力粉、中力粉、薄力粉など）、ライ麦粉、米粉、とうもろこし粉などの穀粉、コーンスターチ、ワキシーコーンスターチ、ハイアミロースコーンスターチ、馬鈴薯澱粉、小麦澱粉、タピオカ澱粉、緑豆澱粉、サゴ澱粉、米澱粉、エンドウ豆澱粉、およびこれらの加工澱粉などの澱粉、大豆粉、小豆粉、えんどう豆粉などの豆粉などを、目的とするベーカリー食品の種類に応じて適宜配合することができる。これらの原料粉を配合する場合、ミックス全体の蛋白含量が４．０質量％を超えないように配合する必要がある。
【００１３】
また、本発明のベーカリー食品用ミックスには、目的とするベーカリー食品の種類に応じて、砂糖、グルコース、フルクトース、マルトース、トレハロース、アラビノース、キシロース、リボース、ガラクトース、ガラクツロン酸、ウロン酸、ラムノース、フコース、マンノース、又はこれらを構成成分とする還元糖を有する物質や混合物である水あめなどの糖類、食塩、調味料、香辛料、ビタミン類、ミネラル類、色素、香料、粉末油脂などの油脂類、乳化剤、増粘剤、イースト、膨張剤などの副原料を適宜配合することができる。なお、これらの副原料は、ベーカリー食品用ミックスを用いてベーカリー食品を作製する際に、該ミックスと混合してもよい。
【００１４】
本発明のベーカリー食品用ミックスが用いられるベーカリー食品としては、プルマン、イギリス食パンなどのパン類、バケット、パリジャンなどのフランスパン、菓子パン、バンズ、テーブルロールなどの各種ロール類、スポンジケーキなどのケーキ類、ピザ、トルティーヤ、シュー皮、焼き饅頭、クレープ、ワッフル、どら焼き、たい焼き、今川焼き、大判焼き、たこ焼き、お好み焼きなどが挙げられる。
本発明のベーカリー食品用ミックスは、従来のベーカリー食品用ミックスと同様にして用いられる。すなわち、本発明のベーカリー食品用ミックスは、目的とするベーカリー食品の種類に応じて他の原料を適宜混合し、常法に従ってベーカリー食品を製造することができる。
【実施例】
【００１５】
本発明を具体的に説明するために実施例および比較例を挙げるが、本発明は以下の実施例によって制限されるものではない。尚、実施例４および５は参考例である。
【００１６】
実施例１〜５および比較例１〜２
表１に示す配合により、表１に示す蛋白含量のベーカリー食品用ミックスをそれぞれ調製した。ミックスの蛋白含量は、表１に示す量の活性グルテンを配合することにより調整した。
各ミックス１００質量部にそれぞれ水６５質量部を加え、下記の〔製造条件〕にて、まんじゅう様のベーカリー食品をそれぞれ製造した。
〔製造条件〕
ミキシング  低速２分
分割        ２０ｇ
包餡        餡２０ｇ
焼成温度    １７０℃
焼成時間    １７分
【００１７】
実施例１〜５および比較例１〜２で製造したベーカリー食品について、外観の透明感および食感を下記の評価基準によりパネラー１０名に評価させた。その結果（１０名の平均点）を表１に示す。
【００１８】
外観の透明感の評価基準
５点  透明感に優れている。
４点  透明感がやや優れている。
３点  透明感がある。
２点  透明感がやや劣る。
１点  透明感がない。
【００１９】
食感の評価基準
５点  やわらかい。
４点  やややわらかい。
３点  ふつう。
２点  やや硬い。
１点  硬い。
【００２０】
【表１】
0006046355.tif 000002